(57)【要約】【課題】複数の異なる光ディスク規格の情報層を一つのディスクに多層化した光ディスクでは、アクセスに時間を要していた。【解決手段】第１のレーザー光によって走査される円周状のトラックに管理領域を有する第１の情報層としてＢＤ層を備えた光ディスクの製造方法であって、上記管理領域に、上記第１のレーザー光よりも波長の長い第２のレーザー光で走査される第２の情報層の有無を記録する工程と、上記管理領域に、上記第２のレーザー光よりも波長の長い第３のレーザー光で走査される第３の情報層の有無を記録する工程とを備え、上記第２の情報層が存在しない場合に上記第２の情報層の有無を２ビットの情報００で表し、上記第３の情報層が存在しない場合に上記第３の情報層の有無を２ビットの情報００で表す。【選択図】図６
2018147551.tif 000002
【特許請求の範囲】
【請求項１】
第１のレーザー光によって走査される円周状のトラックに管理領域を有する第１の情報層としてＢＤ層を備えた光ディスクの製造方法であって、
前記管理領域に、前記第１のレーザー光よりも波長の長い第２のレーザー光で走査される第２の情報層の有無を記録する工程と、
前記管理領域に、前記第２のレーザー光よりも波長の長い第３のレーザー光で走査される第３の情報層の有無を記録する工程と、
を備え、
前記第２の情報層が存在しない場合に前記第２の情報層の有無を２ビットの情報００で表し、前記第３の情報層が存在しない場合に前記第３の情報層の有無を２ビットの情報００で表す
ことを特徴とする光ディスクの製造方法。
【請求項２】
第１のレーザー光によって走査される円周状のトラックに管理領域を有する第１の情報層としてＢＤ層を備えた光ディスクであって、前記管理領域に前記第１のレーザー光よりも波長の長い第２のレーザー光で走査される第２の情報層の有無を表す情報及び前記第２のレーザー光よりも波長の長い第３のレーザー光で走査される第３の情報層の有無を表す情報をそれぞれ有する光ディスクの記録方法であって、
前記管理領域から前記第２及び第３の情報層の有無を表すそれぞれの情報を読み出すステップと、
読み出した前記第２及び第３の情報層の有無を表すそれぞれの情報に基づき前記第２及び第３の情報層の有無をそれぞれ識別するステップと、
を備え、
前記第２の情報層の有無を表す情報が２ビットの情報００で表される場合に前記第２の情報層が存在しないと識別し、前記第３の情報層の有無を表す情報が２ビットの情報００で表される場合に前記第３の情報層が存在しないと識別する
ことを特徴とする光ディスクの記録方法。
【請求項３】
第１のレーザー光によって走査される円周状のトラックに管理領域を有する第１の情報層としてＢＤ層を備える光ディスクであって、前記管理領域に前記第１のレーザー光よりも波長の長い第２のレーザー光で走査される第２の情報層の有無を表す情報及び前記第２のレーザー光よりも波長の長い第３のレーザー光で走査される第３の情報層の有無を表す情報をそれぞれ有する光ディスクの識別方法において、
前記管理領域から前記第２及び第３の情報層の有無を表すそれぞれの情報を読み出すステップと、
読み出した前記第２及び第３の情報層の有無を表すそれぞれの情報に基づき前記第２及び第３の情報層の有無をそれぞれ識別するステップと、
を備え、
前記第２の情報層の有無を表す情報が２ビットの情報００で表される場合に前記第２の情報層が存在しないと識別し、前記第３の情報層の有無を表す情報が２ビットの情報００で表される場合に前記第３の情報層が存在しないと識別する
ことを特徴とする光ディスクの識別方法。
【請求項４】
第１のレーザー光によって走査される円周状のトラックに管理領域を有する第１の情報層としてＢＤ層を備える光ディスクであって、前記管理領域に前記第１のレーザー光よりも波長の長い第２のレーザー光で走査される第２の情報層の有無を表す情報及び前記第２のレーザー光よりも波長の長い第３のレーザー光で走査される第３の情報層の有無を表す情報をそれぞれ２ビットで有する光ディスクの再生方法において、
前記管理領域から前記第２及び第３の情報層の有無を表すそれぞれの情報を読み出すステップと、
読み出した前記第２及び第３の情報層の有無を表すそれぞれの情報に従って前記光ディスクを再生するステップと、
を備え、
前記第２の情報層の有無を表す情報が２ビットの情報００で表される場合に前記第２の情報層が存在しないものとし、前記第３の情報層の有無を表す情報が２ビットの情報００で表される場合に前記第３の情報層が存在しないものとして前記光ディスクを再生する
ことを特徴とする光ディスクの再生方法。
【請求項５】
第１のレーザー光によって走査される円周状のトラックを有する第１の情報層を備えた光ディスクであって、
前記トラックは、管理領域を有し、
前記管理領域は、前記第１のレーザー光よりも波長の長い第２のレーザー光で走査される第２の情報層及び前記第２のレーザー光よりも波長の長い第３のレーザー光で走査される第３の情報層の有無を表す情報を、それぞれ２ビットの情報として有し、
前記第２の情報層が存在しない場合、前記第２の情報層に対応する前記２ビットは００と表され、
前記第３の情報層が存在しない場合、前記第３の情報層に対応する前記２ビットは００と表される
ことを特徴とする光ディスク。
【発明の詳細な説明】
【技術分野】
【０００１】
この発明は、複数の異なる光ディスク規格の情報層を一つのディスクに多層化した光ディスク及びその光ディスクに対して情報の記録または再生を行う光ディスク装置に係わるものである。この発明はまた、光ディスクの製造方法、光ディスクの記録方法、光ディスクの再生方法、及び光ディスクの識別方法に係わるものである。
【背景技術】
【０００２】
情報記録の分野においては、光ディスクに関する研究が行われている。この光ディスクは、非接触で記録・再生が行えること、安価な大容量ファイルの実現が可能であること、用途に応じて再生専用型、追記型、書換可能型のメディアがあることから産業用から民生用まで幅広く応用されている。
【０００３】
上記の各種光ディスクの大容量化は、ディスク上のトラック状に書かれた情報の大きさを小さくするとともに、記録や再生に用いる光源となるレーザ光の短波長化と、高開口数の対物レンズを採用することにより、焦点面での集光スポットサイズを小さくすることで達成してきた。
【０００４】
例えば、ＣＤ（コンパクトディスク）では、光透過層となるディスク基板の厚さが約１．２ｍｍ、レーザ光波長が約７８０ｎｍ、対物レンズの開口数（ＮＡ）が０．４５であり、６５０ＭＢの容量であったが、ＤＶＤ（デジタル多用途ディスク）では、光透過層となるディスク基板の厚さが約０．６ｍｍ、レーザ光波長が約６５０ｎｍ、ＮＡが０．６であり、４．７ＧＢの容量となっている。ＤＶＤは、例えば、厚さ約０．６ｍｍのディスク基板を２枚貼り合わせて１．２ｍｍの厚さのディスクとして用いられている。
【０００５】
さらに高密度のＢＤ（ブルーレイディスク）では、光学記録層上に設けられる光透過層の保護層の厚さを０．１ｍｍに薄くした光ディスクを用いて、レーザ光波長を約４０５ｎｍ、ＮＡを０．８５とすることで２３ＧＢ以上の大容量化を実現している。
【０００６】
このように光ディスクは大容量化を進めながら、ＣＤ，ＤＶＤ，ＢＤのような種々の光ディスク規格が策定されている。一方、光ディスク記録再生装置は複数の規格の光ディスクを記録再生可能な互換性のあるものが一般的である。
【０００７】
例えば、ＤＶＤ記録再生装置の場合は、ＤＶＤの記録再生に加えて、ＣＤの記録再生が行える製品があり、ＢＤ記録再生装置の場合は、ＢＤの記録再生、ＤＶＤの記録再生、ＣＤの記録再生が行える製品がある。これらの互換性を持った記録再生装置は、利用者が所有する従来規格の光ディスクを記録再生できることから利便性が高く、新規格のスムーズな普及に重要な役割を果たしている。
【０００８】
これらのディスクは各々の規格に準拠したものであったが、利用者の利便性を高めるために複数の異なる光ディスク規格の情報層を一つのディスクに多層化した光ディスクが開発されている。（たとえば、特許文献１参照。）
【先行技術文献】
【特許文献】
【０００９】
【特許文献１】特開２００４−９５００５号公報
【発明の概要】
【発明が解決しようとする課題】
【００１０】
上記のような光ディスクでは、ある情報層にアクセスしている最中には、別の情報層が存在しているかどうかが不明であるため、別の情報層の情報を読み取ったり記録する必要が急に生じた場合に、当該指定された別の情報層へのアクセスに時間を要するという問題がある。
【００１１】
また、上記のような光ディスクでは、ある情報層の種類が別の情報層に記録されていなかったため、複数の光ディスク規格に対応した互換光ディスク装置で読み書きする際に、アクセスしている情報層が変わる毎に、その情報層にアクセスして、その種類を読み取った後に、情報層の種類に応じたトラッキングエラー信号の生成方法の選択を行う必要があり、アクセスに時間を要するという問題もある。
【００１２】
本発明は、上述のような問題を解決すべく、複数の異なる光ディスク規格に準拠した情報層を多層化した光ディスクにおいて、アクセス時間を短縮することを目的とする。
【課題を解決するための手段】
【００１３】
この発明の光ディスクの製造方法は、
第１のレーザー光によって走査される円周状のトラックに管理領域を有する第１の情報層としてＢＤ層を備えた光ディスクの製造方法であって、
前記管理領域に、前記第１のレーザー光よりも波長の長い第２のレーザー光で走査される第２の情報層の有無を記録する工程と、
前記管理領域に、前記第２のレーザー光よりも波長の長い第３のレーザー光で走査される第３の情報層の有無を記録する工程と、
を備え、
前記第２の情報層が存在しない場合に前記第２の情報層の有無を２ビットの情報００で表し、前記第３の情報層が存在しない場合に前記第３の情報層の有無を２ビットの情報００で表す
ことを特徴とする。
この発明の光ディスクの記録方法は、
第１のレーザー光によって走査される円周状のトラックに管理領域を有する第１の情報層としてＢＤ層を備えた光ディスクであって、前記管理領域に前記第１のレーザー光よりも波長の長い第２のレーザー光で走査される第２の情報層の有無を表す情報及び前記第２のレーザー光よりも波長の長い第３のレーザー光で走査される第３の情報層の有無を表す情報をそれぞれ有する光ディスクの記録方法であって、
前記管理領域から前記第２及び第３の情報層の有無を表すそれぞれの情報を読み出すステップと、
読み出した前記第２及び第３の情報層の有無を表すそれぞれの情報に基づき前記第２及び第３の情報層の有無をそれぞれ識別するステップと、
を備え、
前記第２の情報層の有無を表す情報が２ビットの情報００で表される場合に前記第２の情報層が存在しないと識別し、前記第３の情報層の有無を表す情報が２ビットの情報００で表される場合に前記第３の情報層が存在しないと識別する
ことを特徴とする。
この発明の光ディスクの識別方法は、
第１のレーザー光によって走査される円周状のトラックに管理領域を有する第１の情報層としてＢＤ層を備える光ディスクであって、前記管理領域に前記第１のレーザー光よりも波長の長い第２のレーザー光で走査される第２の情報層の有無を表す情報及び前記第２のレーザー光よりも波長の長い第３のレーザー光で走査される第３の情報層の有無を表す情報をそれぞれ有する光ディスクの識別方法において、
前記管理領域から前記第２及び第３の情報層の有無を表すそれぞれの情報を読み出すステップと、
読み出した前記第２及び第３の情報層の有無を表すそれぞれの情報に基づき前記第２及び第３の情報層の有無をそれぞれ識別するステップと、
を備え、
前記第２の情報層の有無を表す情報が２ビットの情報００で表される場合に前記第２の情報層が存在しないと識別し、前記第３の情報層の有無を表す情報が２ビットの情報００で表される場合に前記第３の情報層が存在しないと識別する
ことを特徴とする。
この発明の光ディスクの再生方法は、
第１のレーザー光によって走査される円周状のトラックに管理領域を有する第１の情報層としてＢＤ層を備える光ディスクであって、前記管理領域に前記第１のレーザー光よりも波長の長い第２のレーザー光で走査される第２の情報層の有無を表す情報及び前記第２のレーザー光よりも波長の長い第３のレーザー光で走査される第３の情報層の有無を表す情報をそれぞれ２ビットで有する光ディスクの再生方法において、
前記管理領域から前記第２及び第３の情報層の有無を表すそれぞれの情報を読み出すステップと、
読み出した前記第２及び第３の情報層の有無を表すそれぞれの情報に従って前記光ディスクを再生するステップと、
を備え、
前記第２の情報層の有無を表す情報が２ビットの情報００で表される場合に前記第２の情報層が存在しないものとし、前記第３の情報層の有無を表す情報が２ビットの情報００で表される場合に前記第３の情報層が存在しないものとして前記光ディスクを再生する
ことを特徴とする。
【発明の効果】
【００１４】
本発明によれば、複数の異なる光ディスク規格に準拠した情報層を多層化した光ディスクにおいて、アクセス時間を短縮することができる。
【図面の簡単な説明】
【００１５】
【図１】実施の形態１における光ディスク及びその光ディスクの情報層Ｌ１にアクセスした光ディスク装置の状態を示す概略である。
【図２】実施の形態１における光ディスク及びその光ディスクの情報層Ｌ２にアクセスした光ディスク装置の状態を示す概略である。
【図３】実施の形態１における光ディスク及びその光ディスクの情報層Ｌ３にアクセスした光ディスク装置の状態を示す概略である。
【図４】実施の形態１における光ディスクの情報層Ｌ１の管理領域を示す概略図である。
【図５】実施の形態１における管理領域の情報フィールドを含む光ディスクのデータ構造を示す概略図である。
【図６】実施の形態１における管理領域内の情報フィールドの概念図である。
【図７】実施の形態１における情報層Ｌ２のトラック状に書かれた情報と集光スポットの概略図である。
【図８】実施の形態１における情報層Ｌ３のトラック状に書かれた情報と集光スポットの概略図である。
【図９】実施の形態１における各情報層の種類の情報を読み取るシーケンスを示すフロー図である。
【図１０】実施の形態１における各情報層の種類の情報を利用して、別の情報層を再生するシーケンスを示すフロー図である。
【図１１】実施の形態２における光ディスクの情報層Ｌ１の管理領域を示す概略図である。
【図１２】実施の形態２における管理領域内の概念図である。
【図１３】実施の形態３における管理領域内の概念図である。
【図１４】実施の形態５に係る光ディスク装置の検査システムの構成を示すブロック図である。
【図１５】実施の形態５に係る光ディスク装置の検査システムにおける検査工程を示すフローチャートである。
【発明を実施するための形態】
【００１６】
実施の形態１．
図１から図３はこの発明の実施の形態１における光ディスク及びその光ディスクの情報層にアクセスした光ディスク装置の状態を示す概略図、図４は図１における光ディスクの情報層Ｌ１の管理領域を示す概略図である。図５は管理領域の情報フィールドを含む光ディスクのデータ構造を示す概略図である。図６は管理領域内の情報フィールドの概念図である。図７は情報層Ｌ２のトラック状に書かれた情報と集光スポット、図８は情報層Ｌ３のトラック状に書かれた情報と集光スポットの概略図である。図９は各情報層の種類の情報を読み取るシーケンスを示すフロー図である。図１０は各情報層の種類の情報を利用して、別の情報層を再生するシーケンスを示すフロー図である。
【００１７】
以下、本発明の実施の形態１について図を用いて説明する。図１において、光ディスク１上には複数の異なる光ディスク規格の情報層Ｌ１、Ｌ２、Ｌ３が設けられており、光ディスク１の厚み方向に積層されている。情報層Ｌ１、Ｌ２、Ｌ３は、この順に、表面から情報層までの距離が０．１ｍｍと０．６ｍｍと１．２ｍｍとなる位置にそれぞれ配置されている。またそれらの情報層Ｌ１、Ｌ２、Ｌ３はこの順に、ＢＤ、ＤＶＤ、ＣＤの光ディスク規格をそれぞれ満足し、情報層Ｌ１が最も記録密度が高い層であり、情報層Ｌ３が最も記録密度が低い層とする。ここではそれぞれ、再生専用型、記録可能型、再生専用型である場合について説明する。
【００１８】
図１の状態は情報層Ｌ１にアクセスした状態を示しており、最も短い波長である約４０５ｎｍの青紫色半導体レーザ光源２ａから出射された光束３ａはコリメートレンズ４ａで平行光になり、プリズム５ａで反射して対物レンズ６により情報層Ｌ１に集光スポット７ａとして集光させる。
【００１９】
情報層Ｌ１で反射した光束３ａは対物レンズ６に再入射する。その後、プリズム５ａ、５ｂ、５ｃを透過し、センサーレンズ８により光検知器９上に照射される。
【００２０】
光検知器９は受光した光束を光電変換して信号処理手段１０に出力する。信号処理手段１０は光源２ａに対して発光量を制御したり、集光スポットと情報層のトラックの相対位置誤差を表すトラッキングエラー信号を生成したり、信号処理後の情報を映像処理手段１１に対して出力を行う。映像処理手段１１は映像処理を行い出力を行う。
【００２１】
上記、光源２ａ〜映像処理手段１１までを含めて光ディスク装置１２が構成されており、ホスト１３からの指示により、光ディスク１に対して情報の記録や再生を行う。ホスト１３は、光ディスク装置１２に対して情報の記録及び／又は再生の指示を行うＰＣ（Personal computer）である。また、光ディスク装置１２により読み取った情報を復号化して映像・音声出力する映像音声再生装置、及び／又は、外部入力された映像・音声情報を符号化して光ディスク装置１２に対して記録指示を行う映像音声記録装置であってもよい。
【００２２】
図２の状態は情報層Ｌ２にアクセスした状態を示しており、波長約６５０ｎｍの赤色半導体レーザ光源２ｂから出射された光束３ｂはコリメートレンズ４ｂで平行光になり、プリズム５ｂで反射して対物レンズ６により情報層Ｌ２に集光スポット７ｂとして集光させる。
【００２３】
このとき光束３ｂは情報層Ｌ１を透過する。よって情報層Ｌ２のアクセスに影響しないように、情報層Ｌ１は波長約６５０ｎｍの光束に対する透過率や反射率などの物理特性を考慮して材料や構造を設定している。
【００２４】
情報層Ｌ２で反射した光束３ｂは対物レンズ６に再入射する。その後、プリズム５ａ、５ｂ、５ｃを透過し、センサーレンズ８により光検知器９上に照射される。信号処理手段１０及び映像処理手段１１は同様の動作を行うので省略する。図２では信号処理手段１０が制御するのは光源２ｂである。
【００２５】
図３の状態は情報層Ｌ３にアクセスした状態を示しており、波長約７８０ｎｍの赤外半導体レーザ光源２ｃから出射された光束３ｃはコリメートレンズ４ｃで平行光になり、プリズム５ｃで反射して対物レンズ６により情報層Ｌ３に集光スポット７ｃとして集光させる。
【００２６】
このとき光束３ｃは情報層Ｌ１、Ｌ２を透過する。よって情報層Ｌ３のアクセスに影響しないように、情報層Ｌ１、Ｌ２は波長約７８０ｎｍの光束に対する透過率や反射率などの物理特性を考慮して材料や構造を設定している。
【００２７】
情報層Ｌ３で反射した光束３ｃは対物レンズ６に再入射する。その後、プリズム５ａ、５ｂ、５ｃを透過し、センサーレンズ８により光検知器９上に照射される。信号処理手段１０及び映像処理手段１１は同様の動作を行うので省略する。図３では信号処理手段１０が制御するのは光源２ｃである。
【００２８】
図４及び図５において、上記光ディスク１の情報層Ｌ１に設けられた管理領域１４は光ディスク１の最内周位置に設けられており、管理領域１４以外はユーザーデータ領域１５が設けられている。そして管理領域１４の情報フィールド１６に各情報層の種類を表す情報を有している。この情報フィールド１６を光ディスク装置１２が読み出すことにより各情報層の種類を表わす情報が得られる。
【００２９】
図６は情報フィールド１６の概念図である。情報フィールド１６内の各領域Ｓ１、Ｓ２、Ｓ３はそれぞれ情報層Ｌ１，Ｌ２，Ｌ３の種類を表すビットである。領域Ｓ１、Ｓ２、Ｓ３は、それぞれ２ビットから構成されており、合計６ビット使用している。上記ビットはその情報層が再生専用型の場合０１、その情報層が記録可能型の場合１０とする。情報層が無い場合は００で表す。よってこの実施の形態１における領域Ｓ１、Ｓ２、Ｓ３はそれぞれ０１、１０、０１と記録されている。
【００３０】
図７に情報層が記録可能型であるトラック状に書かれた情報と集光スポット７ｂの図を示す。記録可能型ではランド１７やグルーブ１８と呼ばれるトラックを有している。材料の化学変化や形状変化を利用して情報を記録マーク１９として記録する。記録可能型の情報層の場合はトラッキングエラー信号の生成には公知のＤｉｆｆｅｒｅｎｔｉａｌ  Ｐｕｓｈ−Ｐｕｌｌ法（ＤＰＰ法）を用いている。これは光束を３ビームに分割して情報層に集光させ、その反射光を３個の２分割光検知器で受光し演算してトラッキングエラー信号を得る方法である。
【００３１】
図８に情報層が再生専用型であるトラック状に書かれた情報と集光スポット７ｃの図を示す。再生専用型ではピット２０と呼ばれる微小な穴で情報が記録されている。この場合、トラッキングエラー信号の生成には公知のＤｉｆｆｅｒｅｎｔｉａｌ  Ｐｈａｓｅ  Ｄｅｔｅｃｔｉｏｎ法（ＤＰＤ法）を用いている。これは光束を情報層に集光させ、その反射光を１個の４分割光検知器で受光し演算してトラッキングエラー信号を得る方法である。
【００３２】
図９において、光ディスク１が光ディスク装置１２に挿入されると（ＳＴ１）、光ディスク装置１２は上記光ディスク１上の情報層Ｌ１にある管理領域１４内にある情報フィールド１６を読み取ることにより（ＳＴ２）、各情報層Ｌ１，Ｌ２，Ｌ３の種類を表わす情報を得て、その情報を信号処理手段１０内に保持して（ＳＴ３）終了し（ＳＴ４）、ホスト１３からの指示を待つ待機状態となる。
【００３３】
図１０において、光ディスク装置１２は、ホスト１３からの情報層Ｌ２の再生指示に対して（ＳＴ１０）、上述のように信号処理手段１０の内部に保持されている情報層Ｌ２の種類をシーケンスに従って読み出す（ＳＴ１１）。情報層Ｌ２は再生専用型ではなく（ＳＴ１２のＦＡＬＳＥ）、記録可能型であるため（ＳＴ１３のＴＲＵＥ）、記録可能型の情報層Ｌ２に適したＤＰＰ法を選択し、同時に情報層Ｌ２に適した波長のレーザーのレーザーパワーを設定し、トラッキングエラー信号を生成し（ＳＴ１４）、情報層Ｌ２から情報の再生を行う（ＳＴ１５）。
【００３４】
同様に、ホスト１３からの情報層Ｌ３の再生指示に対しても（ＳＴ１０）、上述のように信号処理手段１０の内部に保持されている情報層Ｌ３の種類を図１０と同様のシーケンスに従って読み出す（ＳＴ１１）。情報層Ｌ３は再生専用型であるため（ＳＴ１２のＴＲＵＥ）、再生専用型の情報層Ｌ３に適したＤＰＤ法を選択し、同時に情報層Ｌ３に適した波長のレーザーのレーザーパワーを設定し、トラッキングエラー信号を生成し（ＳＴ１６）、情報層Ｌ３から情報の再生を行う（ＳＴ１７）。
【００３５】
ホスト１３からの再生指示に対して、信号処理手段１０の内部に保持されている情報層Ｌ３の種類が再生専用型でも記録可能型でもなく（ＳＴ１２、ＳＴ１３がともにＦＡＬＳＥの場合）、光ディスク装置が認識できない情報である場合、再生指示のあった情報層がアクセス不可であることをホスト１３に返して（ＳＴ１８）終了し（ＳＴ１９）、ホスト１３からの次の指示を待つ。
なお、図１０において、情報層の種類が再生専用型か記録可能型かを判断するステップＳＴ１２、ＳＴ１３は、いずれが先であってもよい。
また、図１０においては、ホスト１３が再生指示を行う場合について示したが、記録指示を行う場合においても、同様に、情報層の種類を表わす情報に基づいて、記録指示のあった情報層に対して、アクセス時間が短縮でき、適切な記録動作を行うことができる。
【００３６】
本実施の形態においては、複数の異なる光ディスク規格に準拠した情報層を多層化した光ディスクにおいて、別の情報層の種類を表す情報を記録することによって、光ディスク装置が別の情報層の種類を識別することが容易になり、アクセス時間を短縮することができる。
また、この情報を最も記録密度が高い情報層の管理領域に記録することによって、この情報層が最も使用頻度が高いと予想されることから、光ディスク装置が確実に読み取って保持することができる。
更に、このような光ディスクに対して情報の記録や再生を行う場合、光ディスク装置は、これらの情報層の種類を表わす情報をもとに、アクセスする層に適した波長のレーザーのレーザーパワーを予め適切な値に設定でき、集光スポットとトラック状に書かれた情報の、複数のトラックを横切る方向の相対位置誤差を表すトラッキングエラー信号生成方法を予め決めることで、アクセス時間を短縮することができる。
【００３７】
実施の形態２．
本発明の実施の形態２は、図１から図５及び図７から図１０は本発明の実施の形態１と同一であり、実施の形態１の図６における管理領域内の領域の取り扱いが異なっている。
【００３８】
図１１において、光ディスクは、内周側に位置する管理領域１４ａと、外周側に位置するユーザーデータ領域１５ａとから構成され、管理領域１４ａの中に、別の情報層の有無を表わす情報が記録された表示領域２１と、別の情報層の種類を表す情報が記録された種別領域２２を設けている。図１２において、表示領域２１の領域Ｔ２、Ｔ３は各々図１に図示された情報層Ｌ２、Ｌ３の有無を表す情報を記録する。領域Ｔ４は光ディスク１には図示されないが、波長約４０５ｎｍの青紫色半導体レーザを光源として用いるＢＤ以外のその他の光ディスク規格や、将来的に開発されるであろう別の規格に準拠した、情報層の有無を表す。領域Ｔ２、Ｔ３、Ｔ４はそれぞれ１ビットの情報層を有し、表示領域２１は合計３ビットで構成される。上記各ビットは情報層がある場合とない場合をそれぞれ１と０で表す。
【００３９】
図１２において、種別領域２２の領域Ｕ２、Ｕ３、Ｕ４は、表示領域２１の領域Ｔ２、Ｔ３、Ｔ４が表す情報層に対応して関連付けられており、それぞれの情報層の種類を表す情報が記録されている領域である。即ち、領域Ｕ２、Ｕ３、Ｕ４はそれぞれ、領域Ｔ２、Ｔ３、Ｔ４において情報層が存在する（ビット１）場合に、それらの情報層の種類を表わす。領域Ｕ２、Ｕ３、Ｕ４はそれぞれ２ビットの情報を有し、種別領域２２は合計６ビットで構成される。上記各２ビットは情報層が再生専用型であるときには００、追記型であるときには０１、書き換え型であるときは１０で表す。追記型は追記は可能であるが書き換えができないＤＶＤ−Ｒや＋Ｒやそれらの２層規格を含む。また書き換え型はＤＶＤ−ＲＷや＋ＲＷの２層規格やＤＶＤ−ＲＡＭを含む。領域Ｔ２、Ｔ３、Ｔ４のいずれかにおいて情報層が存在しない（ビット０）場合、それに対応する領域Ｕ２、Ｕ３、Ｕ４には、ｒｅｓｅｒｖｅ（予備領域）に相当するような００を割り当てる。この場合、見かけ上、情報層が再生専用型であるときと同じビットになるが、光ディスク装置は領域Ｔ２、Ｔ３、Ｔ４のいずれかがビット０であれば、それに対応する領域Ｕ２、Ｕ３、Ｕ４は読み取らないため、特に問題は生じない。又は、上記以外のビット（例えば１１）を割り当ててもよい。
【００４０】
光ディスク装置は、光ディスクが挿入されると、光ディスク上の情報層Ｌ１にある管理領域１４ａ内にある表示領域２１の領域Ｔ２、Ｔ３、Ｔ４を読み取ることにより、情報層Ｌ２，Ｌ３及びその他の規格に準拠した情報層の有無を表わす情報を得る。次いで、光ディスク装置は、この領域Ｔ２、Ｔ３、Ｔ４のうち、該当する情報層の存在有りを示す場合（ビット１）、管理情報１４ａ内にある種別領域２２の領域Ｕ２、Ｕ３、Ｕ４を読み取り、情報層の種類を表わす情報を得て、その情報を信号処理手段１０内に保持する。その後の動作は、図１０に示すフローと同様である。
なお、光ディスク装置は、領域Ｔ２、Ｔ３、Ｔ４から得た情報が情報層の存在有りを示す場合（ビット１）にのみ、種別領域２２の領域Ｕ２、Ｕ３、Ｕ４から対応する情報のみを読み取るように設計することができる。ただし、領域Ｔ２、Ｔ３、Ｔ４から得た情報が情報層の有無のいずれであっても、種別領域２２の領域Ｕ２、Ｕ３、Ｕ４全てを読み取るように設計してもよい。
【００４１】
なお、上記領域Ｔ４に対応する情報層が存在し、この情報層が波長約４０５ｎｍの青紫色半導体レーザを光源として用いるＢＤ以外の光ディスク規格に準拠したものである場合、最も短い波長である約４０５ｎｍに対応する情報層を複数個（情報層Ｌ１と領域Ｔ４に対応する情報層との２つ）含むことになるが、上記表示領域２１及び種別領域２２は、少なくとも情報層Ｌ１に設ける。ただし、情報層Ｌ１のみならず領域Ｔ４に対応する情報層の両方に設けてもよい。
また、上記領域Ｔ４及び領域Ｕ４は、将来、新たな規格が策定された場合のためにｒｅｓｅｒｖｅとして特別な情報を入れずに空けておいてもよい。この場合、表示領域２１及び種別領域２２は、情報層Ｌ２，Ｌ３の２種類の情報層に対する情報を保持することになる。
【００４２】
また、ＤＶＤ層に対応する領域Ｕ２に割り当てる２ビットは、情報トラックの構造の種類を基にして分類されたものであってもよい。この場合、ウォブル周波数等の情報トラックの周期構造を基に分類することができる。例えば、プリピットのみでウォブルが存在しないＤＶＤ−ＲＯＭ等の再生専用型のときには００、ウォブルが存在するＤＶＤ−ＲやＤＶＤ−ＲＷのときは０１、ウォブルが存在するがウォブル周波数がＤＶＤ−ＲやＤＶＤ−ＲＷよりも高いＤＶＤ＋ＲやＤＶＤ＋ＲＷのときは１０、ランド／グルーブシングルスパイラル構造上にヘッダが半径方向にずれて形成されてウォブルは存在しないＤＶＤ−ＲＡＭのときは１１と割り当てても良い。ＤＶＤ層の場合、情報トラックの周期構造がその分類ごとに同じフォーマットを使用しているので、バンドパスフィルタなどウォブル信号検出回路（周期構造の周波数を検出する回路）の特性を、ＤＶＤ層にアクセスする前に設定する事が可能となり、ディスク回転数を目標値に素早く制御することができ、アクセス時間を短縮できる。
【００４３】
本実施の形態では、複数の異なる光ディスク規格に準拠した情報層を多層化した光ディスクにおいて、別の情報層の有無を表す情報を記録することによって、光ディスク装置が別の情報層の有無を識別することが容易になり、アクセス時間を短縮することができる。
更に、光ディスクの管理領域に、別の情報層の有無を表す情報を格納した表示領域２１とは別に、情報層の種類を表わす情報を格納した種別領域２２を設け、表示領域２１の情報が種別領域２２の情報に関連付けられて、表示領域２１の情報と種別領域２２の情報は階層構造をなしている。そのため将来、管理領域１５内に別の領域を設ける場合や、別の種類の情報層を追加する場合に、階層構造を利用した拡張性を確保することができる。
【００４４】
また、これらの情報を最も記録密度が高い情報層の管理領域に記録することによって、この情報層が最も使用頻度が高いと予想されることから、光ディスク装置が確実に読み取って保持することができる。
更に、このような光ディスクに対して情報の記録や再生を行う場合、光ディスク装置は、上記のような情報をもとに、アクセスする層に適した波長のレーザーのレーザーパワーを予め適切な値に設定でき、集光スポットとトラック状に書かれた情報の、複数のトラックを横切る方向の相対位置誤差を表すトラッキングエラー信号生成方法を予め決めることで、アクセス時間を短縮することができる。
【００４５】
実施の形態３．
実施の形態３は、光ディスク１において情報層の種類がＬ１層の種類を含めて多くとも２つである場合の形態である。図１から図５及び図７から図１１は本発明の実施の形態２と同一であり、実施の形態２の図１２における表示領域２１と種別領域２２の取り扱いが異なっている。
【００４６】
図１３において、表示領域２１の領域Ｔ２，Ｔ３，Ｔ４は図１２と同様である。
種別領域２２の領域Ｖ１は、情報層Ｌ１以外に別の情報層が存在する場合、その別の情報層の種類を表す。種別領域２２は領域Ｖ１の２ビットのみの情報を有する。上記２ビットは情報層が再生専用型であるときには００、追記型であるときには０１、書き換え型であるときは１０で表す。追記型はＤＶＤ−Ｒや＋Ｒやそれらの２層規格等を含む。また書き換え型はＤＶＤ−ＲＷや＋ＲＷの２層規格やＤＶＤ−ＲＡＭ等を含む。
例えば、情報層Ｌ１が１層又は２層からなる記録可能型であり、情報層Ｌ２，Ｌ３がともに再生専用型、その他の層が存在しない（Ｔ２＝１，Ｔ３＝１、Ｔ４＝０）場合、領域Ｖ１はビット００となる。また、情報層Ｌ１が１層又は２層からなる再生専用型であり、情報層Ｌ２が再生専用型、その他の層が存在しない（Ｔ２＝１，Ｔ３＝０、Ｔ４＝０）場合、領域Ｖ１はビット００となる。
【００４７】
このように、光ディスク１において、表示領域２１の領域Ｔ２，Ｔ３，Ｔ４の少なくとも１つがビット１であってこのビット１を示す情報層が１種類である場合や、領域Ｔ２，Ｔ３，Ｔ４のうちビット１である領域が１層のみである場合には、種別領域２２を２ビットとすることが出来るため、上記実施の形態２と比較して、情報ビットを節約する効果がある。特に、情報層Ｌ２，Ｌ３のいずれか一方しか存在せず、この層を再生専用型として用いる光ディスクが市場のニーズに合うことが予想されるため、情報層Ｌ２又はＬ３が再生専用型である光ディスクしか製造・販売されないような状況では、種別領域２２は領域Ｖ１の２ビットのみで充分である。
なお、実施の形態２で示したように、領域Ｖ１は、ウォブルの有無等の情報トラックの構造の種類を基にして分類されたものであってもよい。
【００４８】
本実施の形態では、種別領域２２の領域Ｖ１が２ビットのみの情報である場合を示したが、更に情報ビットを節約すべく、１ビットのみの情報であってもよい。この場合、例えば、再生専用型を０、その他の場合、即ち追記型又は書き換え型を１で表わすことができる。又は、ウォブルの無い場合を０、ある場合を１とする等のように、情報トラックの構造の種類を基にして分類してもよい。
更に、このように、情報層を表わす情報を格納する領域Ｖ１を１ビットとした場合であって、図１３の表示領域２１の領域Ｔ４をｒｅｓｅｒｖｅとして特別な情報を入れずに予備領域としている場合には、この領域Ｔ４はもともと１ビットとして割り当てられているため、この領域Ｔ４に、当該情報層を表わす情報である領域Ｖ１の１ビットを割り当てることにしてもよい。このようにすることによって、更に情報ビットを節約することができるとともに、表示領域２１と種別領域２２とを隣接して配置することができる結果、ディスク装置のアクセス時間がより短縮できる。
なお、その他の効果は、実施の形態１及び２に示した効果と同様である。
【００４９】
実施の形態４．
実施の形態２及び３の種別領域２２は、将来の本ビットの有効活用を考慮して、特に何の情報にも割り当てず、全てｒｅｓｅｒｖｅとして００又は０をアサインすることも可能である。また、実施の形態３で説明したように、情報層Ｌ２，Ｌ３が再生専用型である光ディスクしか製造・販売されないような状況では、特に種別領域２２に情報層の種類を表わす情報を割り当てなくともよい場合もある。
ただし、将来、情報層Ｌ２，Ｌ３が再生専用型である光ディスクのみならず、種々の混合タイプの光ディスクが製造・販売される等の市場の変化がある場合、種別領域２２のビットを情報層の種類を表わすために使用する必要が生じる際には、情報層Ｌ２，Ｌ３が再生専用型である光ディスクとの互換性を担保すべく、種別領域２２に割り当てた００又は０を最も多く使用される種類である再生専用型に割り当てる。また、本ビットを全く別の項目を表すビットとして使用する場合であっても、同様の理由から、種別領域２２に割り当てた００又は０をｒｅｓｅｒｖｅに留めるようにする等の工夫が必要である。
本実施の形態の場合、別の情報層の有無を示す情報が格納された表示領域のみの情報となるが、光ディスク装置にとっては、この情報により、別の情報層の有無を識別することは可能であるため、アクセス時間の短縮には寄与する。
【００５０】
実施の形態５．
図１４は、実施の形態１〜４において説明した、複数の異なる光ディスク規格の情報層を多層化した光ディスクを再生する光ディスク装置１の再生動作を検査する検査システムの構成を示す図である。図１４に示すシステムは、検査対象となる光ディスク装置１００、当該光ディスク再生装置に接続されたコンピュータ２００、および検査結果等を表示するためのモニタ３００により構成される。コンピュータ２００は、キーボード等の入力手段４００を備えている。
【００５１】
コンピュータ２００内部のメモリには、光ディスク装置１の再生動作を検査するための検査プログラムが記憶されており、コンピュータ２００はこの検査プログラムを実行し、光ディスク装置１との間で通信を行うことにより、光ディスク装置１の再生動作を検査する。光ディスク装置１の検査は、実施の形態１〜４において説明した光ディスクが挿入された際、最も記録密度が高い情報層の管理領域に記録された他の情報層に関する情報を読出し、他の情報層へのアクセスを正確に行えるか否かを検査することにより行う。
【００５２】
以下、本実施の形態に係る検査システムにおけるディスク再生装置の検査方法について説明する。ここでは、ＢＤ−ＲＯＭ層、およびＤＶＤ−ＲＯＭ層を１つのディスクに多層化した光ディスクを再生動作の検査用ディスク（以下、「テストディスク」）として使用する場合について説明する。
【００５３】
まず、テストディスクを検査対象となる光ディスク装置１に装着し、１倍速で回転させ、テストディスクのＢＤ−ＲＯＭ層の管理領域に記録された各情報層の種類を示すフラグを検出させる。この場合、光ディスク装置１が正常に動作すれば、他の情報層がＤＶＤ−ＲＯＭ層であることを示す情報が検出される。他の情報層がＤＶＤ−ＲＯＭ層であることを示す情報が検出された場合は、コンピュータ２００は、光ディスク装置１に他の情報層へアクセスするようコマンドを送信する。光ディスク装置１が、他の情報層であるＤＶＤ−ＲＯＭ層に正常にアクセスした場合は検査を完了する。
【００５４】
図１５は、上記の検査工程の詳細を示すフローチャートである。
コンピュータ２００は「ディスクスタート」のコマンドを送信し（ステップＳ１０１）、光ディスク装置１はそのコマンドを受けて、ディスクを回転させ、ディスク判別を行う（ステップＳ１０２）。ディスク判別ができず、光ディスク装置１がエラー信号を出力した場合、コンピュータ２００は検査結果として「異常あり」をモニタ３００に表示する（ステップＳ１１５）。
【００５５】
ディスク判別動作が完了し、データの読み出し準備が完了すると（ステップＳ１０３）、コンピュータ２００は「管理領域の情報取得」コマンドを送信する（ステップＳ１０４）。
光ディスク装置１は管理領域の情報を取得し（ステップＳ１０５）、現在アクセス中の情報層の種類がＢＤ−ＲＯＭ層であるか否かを判別する（ステップＳ１０６）。管理領域の情報からＢＤ−ＲＯＭ層を示すフラグが検出されなかった場合、コンピュータ２００は検査結果として「異常あり」をモニタ３００に表示する（ステップＳ１１５）。
【００５６】
管理領域の情報からＢＤ−ＲＯＭ層を示すフラグが検出された場合、他の情報層の種類を示すフラグから他の情報層がＤＶＤ−ＲＯＭ層であるか否かを判別する（ステップＳ１０７）。管理領域の情報から他の情報層がＤＶＤ−ＲＯＭ層を示すフラグが検出されなかった場合、コンピュータ２００は検査結果として「異常あり」をモニタ３００に表示する（ステップＳ１１５）。他の情報層がＤＶＤ−ＲＯＭ層であることを示すフラグが検出された場合、コンピュータ２００は「ＤＶＤ層アクセス」のコマンドを送信する（ステップＳ１０８）。
【００５７】
コンピュータ２００からのコマンドを受けて、光ディスク装置１はＤＶＤ−ＲＯＭ層へのアクセス動作を行い、当該アクセス動作が正常に行われなかった場合はエラー信号をコンピュータ２００に送信する（ステップＳ１０９）。エラー信号が送信された場合、コンピュータ２００は検査結果として「異常あり」をモニタ３００に表示する（ステップＳ１１５）。
ＤＶＤ−ＲＯＭ層へのアクセスが正常に完了し、データの読出し準備が完了すると（ステップＳ１１０）、コンピュータ２００は「管理領域の情報取得」コマンドを光ディスク装置１に送信する（ステップＳ１１１）。
【００５８】
光ディスク装置１は管理領域の情報を取得し（ステップＳ１１２）、現在アクセス中の情報層の種類がＤＶＤ−ＲＯＭ層であるか否かを判別する（ステップＳ１１３）。管理領域の情報からＤＶＤ−ＲＯＭ層を示すフラグが検出されなかった場合、コンピュータ２００は検査結果として「異常あり」をモニタ３００に表示する（ステップＳ１１５）。
管理領域の情報からＤＶＤ−ＲＯＭ層を示すフラグが検出された場合、コンピュータ２００は検査結果として「異常なし」をモニタ３００に表示し（ステップＳ１１４）、検査が完了する。
【００５９】
以上に説明した、光ディスク装置の検査方法によれば、複数の異なる光ディスク規格に準拠した情報層を多層化した光ディスクが挿入された際、光ディスク装置が正常に再生動作を行うことができるか否かの検査を自動的に行うことができる。
【符号の説明】
【００６０】
１  光ディスク、  ２ａ  青紫色半導体レーザ光源、  ２ｂ  赤色半導体レーザ光源、  ２ｃ  赤外半導体レーザ光源、  ３ａ  青紫色半導体レーザ光源の光束、  ３ｂ  赤色半導体レーザ光源の光束、  ３ｃ  赤外半導体レーザ光源の光束、  ４ａ、４ｂ、４ｃ  コリメートレンズ、  ５ａ、５ｂ、５ｃ  プリズム、  ６  対物レンズ、  ７ａ  青紫色半導体レーザ光源の集光スポット、  ７ｂ  赤色半導体レーザ光源の集光スポット、  ７ｃ  赤外半導体レーザ光源の集光スポット、  ８  センサーレンズ、  ９  光検知器、  １０  信号処理手段、  １１  映像処理手段、  １２  光ディスク装置、  １３  ホスト、  １４、１４ａ  管理領域、  １５，１５ａ  ユーザーデータ領域、  １６  情報フィールド、  １７  ランド、  １８  グルーブ、  １９  記録マーク、  ２０  ピット、  ２１  表示領域、  ２２  種別領域、  １００  光ディスク装置、  ２００  コンピュータ、  ３００  モニタ。
【図１】
2018147551.tif 000003
【図２】
2018147551.tif 000004
【図３】
2018147551.tif 000005
【図４】
2018147551.tif 000006
【図５】
2018147551.tif 000007
【図６】
2018147551.tif 000008
【図７】
2018147551.tif 000009
【図８】
2018147551.tif 000010
【図９】
2018147551.tif 000011
【図１０】
2018147551.tif 000012
【図１１】
2018147551.tif 000013
【図１２】
2018147551.tif 000014
【図１３】
2018147551.tif 000015
【図１４】
2018147551.tif 000016
【図１５】
2018147551.tif 000017